(57)【特許請求の範囲】
【請求項１】
織成生地を主たる素材とするパンツの内面における人体の排液部位を含む取付部位に、着脱自在に設けられるものであって、
外装体と、排液を吸収する吸収体とを備え、
前記外装体は、前記取付部位に着脱自在とされ、前記パンツ側を不透液性のバックシートで形成し、かつ、人体側の一部を前記排液が透過可能なトップシートで形成し、
前記吸収体は、少なくとも大便器内に捨てても配管が詰まらない水解性を有し、前記外装体に着脱自在に収納され、
前記外装体は、有底袋状であり、かつ、人体側に位置するトップシートにおける胴周り方向の一側に偏倚した部位に前後方向に延在するにスリットを形成し、前記スリットを前記吸収体の挿入口とすることを特徴とする失禁パッド体。
【請求項２】
前記吸収体の胴周り方向の中間に、上下方向に沿う易折曲線部が少なくとも胴周り方向に一つ形成されている請求項１記載の失禁パッド体。
【請求項３】
前記パンツは男性用であり、内開口及び外開口を構成する重ね合わせ外側地及び内側地を有し、前記外装体は前記内開口の縁又はその近傍から胴周り中央側に配置され、
前記吸収体の胴周り方向の中間に、上下方向に沿う易折曲線部が少なくとも胴周り方向に一つ形成されている請求項１記載の失禁パッド体。
【発明の詳細な説明】
【技術分野】
【０００１】
本発明は、パンツ衣類の内面に装着する失禁パッド体に係り、外装体は取り替えず、吸収体のみを取替可能にしたものである。
【背景技術】
【０００２】
尿意を意識できず或いは介護者に知らせることができない老人、病人、身体障害者等のために、大人用おむつが知られている。しかし、このような大人用おむつは取扱性や外観性に抵抗がある。そして、単に尿意を意識できないだけで、普通の生活が可能な大人もいる。これらの対策として大人用おむつに代えて、パンツ生地の股部に吸収部材を設けた失禁用パンツが用いられるようになった。
【０００３】
他方、特許文献１には、ラミネート生地、消臭吸水性部材、吸収性生地、ネット生地を順次積層した積層部材を形成し、ネット生地の一側縁を除き、この積層部材の周縁を撥水性テープ生地で捲回縫着してなる失禁用部材をパンツ身生地側に配設し、この失禁用部材の周縁を部分的に前記パンツ身生地に取り付けることで、失禁用パンツを構成したものも知られている。
【先行技術文献】
【特許文献】
【０００４】
【特許文献１】実登２５３５４６９号公報
【発明の概要】
【発明が解決しようとする課題】
【０００５】
しかし、上記のような特許文献１の失禁用パンツであっても、排尿を吸収した吸水性部材は水解性を示すものとは認められないので、吸水性部材を便器内に廃棄できるものではない。そして、例えば、男性用トイレにはサニタリーボックスが無いことが多く、特に外出した場合などでは、廃棄可能な場所を探すまで、吸水性部材や消臭性部材を備えた失禁用パンツを使用者は装着したままとするか、或いは、この失禁用パンツを取り外して持ち歩く必要があった。
【０００６】
しかるに、排尿済の失禁用パンツを装着したままでは不快であるし、また、失禁用パンツを持ち運んだりすることは、気分的にも滅入るものである。
また、特許文献１のものは、基本的に失禁用部材の周縁をパンツ未生地に縫着により取付けたものである。したがって、簡易な取付けは望めない。なお、特許文献１のものは男性用をほとんど意識していない構造のものである。
そこで、本発明の主たる課題は、排尿を吸収した吸収体のみを容易に大便器内に投入廃棄可能とし、簡易な破棄処理を達成できる失禁パッド体を提供することにある。
【課題を解決するための手段】
【０００７】
上記課題を解決した本発明は次記のとおりである。
＜請求項１記載の発明＞
織成生地を主たる素材とするパンツの内面における人体の排液部位を含む取付部位に、着脱自在に設けられるものであって、
外装体と、排液を吸収する吸収体とを備え、
前記外装体は、前記取付部位に着脱自在とされ、前記パンツ側を不透液性のバックシートで形成し、かつ、人体側の一部を前記排液が透過可能なトップシートで形成し、
前記吸収体は、少なくとも大便器内に捨てても配管が詰まらない水解性を有し、前記外装体に着脱自在に収納され、
前記外装体は、有底袋状であり、かつ、人体側に位置するトップシートにおける胴周り方向の一側に偏倚した部位に前後方向に延在するにスリットを形成し、前記スリットを前記吸収体の挿入口とすることを特徴とする失禁パッド体。
【０００８】
（作用効果）
失禁パッド体においては、人体側の一部が排液の透過性を示すので、排液（たとえば排尿）があった場合、そこを透過し吸収体に吸収される。吸収体に吸収された尿は、パンツ側が不透液性であるために、パンツ生地には浸透せず、衣類を濡らすことがない。
【０００９】
使用に際しては、始めに、外装体をパンツの内面における人体の排液部位を含む取付部位に装着する。着脱手段としては、最適には外装体の裏面に予め設けた粘着剤層を介して外装体をパンツの内面に固着するものである。したがって、パンツの内面に外装体を簡易に取付けることができる。
【００１０】
尿を吸収した吸収体は、適宜の時点で、外装体から取り外し、大便器内に廃棄する。この場合、吸収体は大便器内に捨てても配管が詰まらない水解性を有するので、廃棄で問題になることがなく、従来のように、排尿後長時間、失禁用パンツを使用者は装着したままとするか、この失禁用パンツを取り外して持ち歩く必要がなくなる。
また、前記外装体は、有底袋状であり、かつ、人体側に位置するトップシートにおける胴周り方向の一側に偏倚した部位に前後方向に延在するにスリットを形成し、スリットを吸収体の挿入口としているので、外装体の胴周り方向の一側から容易に吸収体の挿脱を行うことができる。
【００１１】
【００１２】
【００１３】
【００１４】
【００１５】
＜請求項２記載の発明＞
前記吸収体の胴周り方向の中間に、上下方向に沿う易折曲線部が少なくとも胴周り方向に一つ形成されている請求項１記載の失禁パッド体。
【００１６】
（作用効果）
吸収体の胴周り方向の中間に、上下方向に沿う易折曲線部が少なくとも胴周り方向に一つ形成されていると、やや剛性のある吸収体を使用したとしても、体の動きに合わせて易折曲線部を境にして曲がるので、追従性に優れる。
【００１７】
＜請求項３記載の発明＞
前記パンツは男性用であり、内開口及び外開口を構成する重ね合わせ外側地及び内側地を有し、前記外装体は前記内開口の縁又はその近傍から胴周り中央側に配置され、
前記吸収体の胴周り方向の中間に、上下方向に沿う易折曲線部が少なくとも胴周り方向に一つ形成されている請求項１記載の失禁パッド体。
【００１８】
（作用効果）
男性用の場合、やや剛性のある吸収体を設けると、吸収体が抵抗となって、陰茎を内開口から外開口外へ持ち出し露出し難い。しかるに、吸収体の胴周り方向の中間に、上下方向に沿う易折曲線部が少なくとも胴周り方向に一つ形成されていると、やや剛性のある吸収体を使用したとしても、陰茎を内開口から外開口外へ持ち出そうとするとき、吸収体がその易折曲線部を境にして曲がるので、外開口から内開口への通路が容易に確保でき、陰茎を内開口から外開口外へように持ち出すことができる。
【発明の効果】
【００１９】
以上のとおり、本発明によれば、排尿を吸収した吸収体のみを容易に大便器内に投入廃棄可能とし、簡易な破棄処理を達成できる利点をもたらす。
【図面の簡単な説明】
【００２０】
【図１】本発明に係る失禁パッド体を男性用パンツに固定した状態の第１の実施の形態の後身頃を一部を破断した正面である。
【図２】失禁パッド体のみを示す正面図である。
【図３】図１の３−３矢視線断面図である。
【図４】失禁パッド体の他の例を正面図である。
【図５】吸収体の斜視図である。
【図６】吸収体の他の例の正面図である。
【図７】本発明に係る失禁パッド体を男性用パンツに固定した状態の第２の実施の形態の後身頃の一部を破断した正面図である。
【図８】透液性シート例要部断面図である。
【発明を実施するための形態】
【００２１】
以下、本発明に係る失禁パッド体の第１の実施の形態について、図１〜図３に基づき、以下に説明する。
本実施の形態に係る失禁パッド体Ｐは、図１及び図２に示すように織成生地を主たる素材とする（男性用）パンツ３０に装着され使用されるものである。男性用パンツ３０は、陰茎を取り出すために男性用パンツ３０の前身頃に外側地３０Ａ及び内側地３０Ｂが２重に重ねられて配置され、外開口３０ａ及び内開口３０ｂが形成されている。
失禁パッド体Ｐは、外装体１０と吸収体２０とを主たる要素としている。外装体１０は内開口３０ｂの縁又はその近傍から胴周り中央側に配置されている。
【００２２】
そして、外装体１０は、その裏面側（パンツ側）が不透液性バックシート１１により形成され、少なくとも人体側の一部が、排液が透過可能なトップシート１２により形成されている。さらに、外装体１０は、前記取付部位に粘着剤層１３、１３…を介してパンツ３０に着脱自在に設けられている。
図１〜図３に示す有底袋状の外装体１０は、たとえばポリエチレンラミネート不織布を不透液性のバックシート１１としてあり、トップシート１２としては、たとえば図８のように、漏斗状の小さい開口１２ａが多数形成されたポリエチレン孔開きシートが用いられ、不透液性シート１１の両側部及び下部がトップシート１２の両側部及び下部を巻き込んで固着されており、上部には吸収体挿入口１４が形成されている。
【００２３】
トップシート１２とバックシート１１との間の収納部１５には、体液を吸収する吸収体２０が挿入口１４から着脱可能に挿入される。
この吸収体２０としては、大便器内に捨てても配管が詰まらない水解性を有し、本実施の形態では水解性を有するパルプや水解性不織布等の部材により形成されている。そもそも、吸収体２０は水解性を有する種々の部材により構成することができ、例えば、原料繊維としては、木材パルプ繊維、非木材系パルプ繊維、レーヨン繊維、ポリエステル繊維が考えられるが、より具体的には、セルロースのみから構成したり、セルロースとその他素材（レーヨンやＰＥ、ＰＥＴなどの）合成繊維とから構成したりすることができる。この際、各々の成分の配合割合の範囲は特定されないが、一例として、セルロース７５％、レーヨン２４％、合成繊維１％未満などとすることができる。吸収容量を確保するためには水解性シートを複数枚重ねて、たとえば周囲部においてエンボスなどにより一体化させことができるほか、たとえば水解性のクレープ紙により、重ね合わせ水解性のシート束の外周を包み、固定することができる。
【００２４】
図４の失禁パッド体の他の例においては、トップシート１２に前後方向にスリットが形成され、吸収体２０の挿入口１４Ａとされている。
【００２５】
吸収体２０の人体側面には、胴周り方向の中間に、上下方向（前後方向）に沿う易折曲線部２１が胴周り方向に一つ形成されている。この易折曲線部２１は、胴周り方向に間隔を置いて複数上下方向（前後方向）に沿って形成してもよい。図４及び図５の例では、エンボス条溝として形成されている。
他方、図６に示すように、間欠的なエンボスを線に沿って間隔を置いて多数形成することにより、易折曲線部２１Ａとすることもできる。さらに、必要ならば、胴周り方向にも易折曲線部２２を形成することもできる。
【００２６】
易折曲線部２１を有する吸収体２０は、特に男性用の場合に有効である。すなわち、男性用の場合、シートを積層したり、綿状パルプを使用し、やや剛性のある吸収体２０とした場合、吸収体２０が抵抗となって、陰茎を内開口３０ｂから外開口３０ａ外へ持ち出し露出し難い。
しかるに、吸収体２０の胴周り方向の中間に、上下方向に沿う易折曲線部２１を形成しておくと、やや剛性のある吸収体２０を使用したとしても、陰茎を内開口３０ｂから外開口３０ａ外へ持ち出そうとするとき、吸収体２０がその易折曲線部２１を境にして曲がるので、外開口から内開口への通路が容易に確保でき、陰茎を内開口３０ｂから外開口３０ａ外へ容易に持ち出すことができる。また、平常時においても、体の動きに合わせて易折曲線部を境にして曲がるので、追従性に優れる。
【００２７】
上記例は、粘着剤１３を介して外装体１０をパンツ３０に着脱自在に設けたものである。この例に換えて、図７に示すように、係脱するメカニカル（面）ファスナーの一方のファスナー片４１を、パンツ３０に取付けておき、これに対し、外装体１０の裏面に設けられた他のファスナー片４２を介して、外装体１０をパンツ３０に着脱自在に設けることもできる。
【００２８】
尚、上記実施の形態では、男性用パンツ３０に貼付けて使用することとしたが、男性用途以外の女性用にも適用することが可能である。例えば、女性用パンツに貼付けて使用する際には、女性の排尿口を含む部位に貼付け箇所を変更することで、使用可能となる。また、上記実施の形態で使用される吸収体としては、パルプや水解性不織布等のトイレに流せる素材でのみ構成したが、ＪＩＳ  Ｐ４５０１（シートのほぐれやすさ）に準拠しつつ、適宜の材料やシートを選択すればよい。
【産業上の利用可能性】
【００２９】
本発明は、パンツ等に併用して使用される失禁パッド体として利用可能である。
【符号の説明】
【００３０】
１０…外装体
１１…バックシート
１２…トップシート
１３…粘着剤層
１４…挿入口
１８…固着材
２０…吸収体
２１、２１Ａ…易折曲線部
３０…パンツ
３０ａ…外開口
３０ｂ…内開口
４１、４２…ファスナー片
【図１】
0005595772.tif 000002
【図２】
0005595772.tif 000003
【図３】
0005595772.tif 000004
【図４】
0005595772.tif 000005
【図５】
0005595772.tif 000006
【図６】
0005595772.tif 000007
【図７】
0005595772.tif 000008
【図８】
0005595772.tif 000009